【手続補正書】
【提出日】平成19年3月1日(2007.3.1)
【手続補正１】
【補正対象書類名】明細書
【補正対象項目名】特許請求の範囲
【補正方法】変更
【補正の内容】
【特許請求の範囲】
【請求項１】  １つ以上のｃＤＮＡ分子を合成するための方法であって、以下の工程：
１つ以上のｍＲＮＡもしくは１つ以上のポリＡ  ＲＮＡ鋳型、およびプライマーを、逆転写酵素活性を有する少なくとも１つのポリペプチドおよび逆転写酵素活性を有する該ポリペプチドの抗体インヒビターもしくは抗体フラグメントインヒビターと混合する工程；
該鋳型、プライマー、ポリペプチドおよびインヒビターを、１０℃〜９０℃の温度でインキュベートする工程；および
該鋳型、プライマー、ポリペプチドおよびインヒビターの温度を上昇させて、それによって該インヒビターを不活性化し、それによって、１つ以上のｃＤＮＡ分子が合成される工程、
を包含する、方法。
【請求項２】  前記抗体または抗体フラグメントがモノクローナルである、請求項１に記載の方法。
【請求項３】  前記ポリペプチドが、モロニーマウス白血病ウイルス逆転写酵素（Ｍ−ＭＬＶ  ＲＴ）、ラウス肉腫ウイルス逆転写酵素（ＲＳＶ  ＲＴ）、鳥類骨髄芽球症ウイルス逆転写酵素（ＡＭＶ  ＲＴ）、ラウス関連肉腫ウイルス逆転写酵素（ＲＡＶ  ＲＴ）、骨髄芽球症関連ウイルス逆転写酵素（ＭＡＶ  ＲＴ）、およびヒト免疫不全ウイルス（ＨＩＶ  ＲＴ）、ならびに逆転写酵素活性を有するそれらのフラグメントからなる群より選択される逆転写酵素である、請求項１に記載の方法。
【請求項４】  前記逆転写酵素は、ＲＮａｓｅ  Ｈ活性が減少している、請求項３に記載の方法。
【請求項５】  前記ＲＮａｓｅ  Ｈ活性は、対応する野生型逆転写酵素のＲＮａｓｅ  Ｈ活性の約３０％未満に減少させられる、請求項４に記載の方法。
【請求項６】  前記インヒビターは、内部プライミングを阻害するか、妨げるか、または減少する、請求項１に記載の方法。
【請求項７】  前記温度は、１０〜６５℃の範囲内である、請求項６に記載の方法。
【請求項８】  前記温度は、約１０〜５５℃の範囲内である、請求項６に記載の方法。
【請求項９】  前記温度は、約１０〜４５℃の範囲内である、請求項６に記載の方法。
【請求項１０】  前記温度は、約１０〜３５℃の範囲内である、請求項６に記載の方法。
【請求項１１】  前記プライマーの前記鋳型に対する比が、１２：１から１：１２の間である、請求項１に記載の方法。
【請求項１２】  前記プライマーの前記鋳型に対する比が、１０：１から１：１０の間である、請求項１１に記載の方法。
【請求項１３】  前記プライマーの前記鋳型に対する比が、５：１から１：５の間である、請求項１１に記載の方法。
【請求項１４】  前記プライマーの長さが、２０塩基から１００塩基の間の長さを有する、請求項１に記載の方法。
【請求項１５】  前記長さが、２０塩基から７５塩基の間である、請求項１４に記載の方法。
【請求項１６】  前記長さが、２０塩基から５０塩基の間である、請求項１４に記載の方法。
【請求項１７】  前記長さが、２５塩基から３５塩基の間である、請求項１４に記載の方法。
【請求項１８】  前記ポリペプチドは、レトロウイルス逆転写酵素である、請求項１に記載の方法。
【請求項１９】  前記ポリペプチドは、Ｍ−ＭＬＶ  ＲＴ、ＲＳＶ  ＲＴ、およびＡＭＶ  ＲＴからなる群より選択される逆転写酵素である、請求項１に記載の方法。
【請求項２０】  前記逆転写酵素は、Ｍ−ＭＬＶ  ＲＴであり、かつ前記対応する野生型  Ｍ−ＭＬＶ  ＲＴのＲＮａｓｅ  Ｈ活性の約３０％未満のＲＮａｓｅ  Ｈ活性を有する、請求項１９に記載の方法。
【請求項２１】  前記逆転写酵は、ＳＵＰＥＲＳＣＲＩＰＴＴＭ（減少したＲＮａｓｅ  Ｈ活性を有する変異Ｍ−ＭＬＶ  ＲＴ）、ＳＵＰＥＲＳＣＲＩＰＴＴＭ  ＩＩ（減少したＲＮａｓｅ  Ｈ活性を有する変異Ｍ−ＭＬＶ  ＲＴ）、ＴＨＥＲＭＯＳＣＲＩＰＴＴＭ（減少したＲＮａｓｅ  Ｈ活性を有する変異ＡＭＶ  ＲＴ）およびＴＨＥＲＭＯＳＣＲＩＰＴＴＭ  ＩＩ（減少したＲＮａｓｅ  Ｈ活性を有する変異ＡＭＶ  ＲＴ）からなる群より選択される、請求項１９に記載の方法。
【請求項２２】  前記１つ以上のｍＲＮＡ鋳型は、ｃＤＮＡライブラリー生成に適したｍＲＮＡ鋳型の集団である、請求項１に記載の方法。
【請求項２３】  前記ｃＤＮＡ分子は、ｃＤＮＡライブラリーである、請求項１に記載の方法。
【請求項２４】  前記プライマーは、オリゴ（ｄＴ）プライマーである、請求項１に記載の方法。
【請求項２５】  逆転写酵素活性、および逆転写酵素活性を有する抗体インヒビターもしくは抗体フラグメントインヒビターを含む、組成物。
【請求項２６】  １つ以上のｍＲＮＡ鋳型、または１つ以上のポリＡ  ＲＮＡ鋳型およびプライマーをさらに含む、請求項２５に記載の組成物。
【請求項２７】  前記抗体または抗体フラグメントは、モノクローナルである、請求項２５に記載の方法。
【請求項２８】  前記ポリペプチドは、モロニーマウス白血病ウイルス逆転写酵素（Ｍ−ＭＬＶ  ＲＴ）、ラウス肉腫ウイルス逆転写酵素（ＲＳＶ  ＲＴ）、鳥類骨髄芽球症ウイルス逆転写酵素（ＡＭＶ  ＲＴ）、ラウス関連肉腫ウイルス逆転写酵素（ＲＡＶ  ＲＴ）、骨髄芽球症関連ウイルス逆転写酵素（ＭＡＶ  ＲＴ）、およびヒト免疫不全ウイルス（ＨＩＶ  ＲＴ）、ならびに逆転写酵素活性を有するそれらのフラグメントからなる群より選択される逆転写酵素である、請求項２５に記載の組成物。
【請求項２９】  前記逆転写酵素は、ＲＮａｓｅ  Ｈ活性が減少している、請求項２８に記載の組成物。
【請求項３０】  前記ＲＮａｓｅ  Ｈ活性は、対応する野生型逆転写酵素のＲＮａｓｅ  Ｈ活性の約３０％未満に減少させられる、請求項２９に記載の組成物。
【請求項３１】  前記インヒビターは、内部プライミングを阻害するか、妨げるか、または減少する、請求項２５に記載の組成物。
【請求項３２】  前記プライマーの前記鋳型に対する比が、１２：１から１：１２の間である、請求項２６に記載の組成物。
【請求項３３】  前記プライマーの前記鋳型に対する比が、１０：１から１：１０の間である、請求項３２１に記載の組成物。
【請求項３４】  前記プライマーの前記鋳型に対する比が、５：１から１：５の間である、請求項３２に記載の組成物。
【請求項３５】  前記プライマーが、２０塩基から１００塩基の間の長さを有する、請求項２６に記載の組成物。
【請求項３６】  前記長さが、２０塩基から７５塩基の間である、請求項３５に記載の組成物。
【請求項３７】  前記長さが、２０塩基から５０塩基の間である、請求項３５に記載の組成物。
【請求項３８】  前記長さが、２５塩基から３５塩基の間である、請求項３５に記載の組成物。
【請求項３９】 前記ポリペプチドは、レトロウイルス逆転写酵素である、請求項２５に記載の組成物。
【請求項４０】  前記ポリペプチドは、Ｍ−ＭＬＶ  ＲＴ、ＲＳＶ  ＲＴ、およびＡＭＶ  ＲＴからなる群より選択される逆転写酵素である、請求項２５に記載の組成物。
【請求項４１】  前記逆転写酵素は、前記対応する野生型  Ｍ−ＭＬＶ  ＲＴのＲＮａｓｅ  Ｈ活性の約３０％未満のＲＮａｓｅ  Ｈ活性を有するＭ−ＭＬＶ  ＲＴである、請求項４０に記載の方法。
【請求項４２】  前記逆転写酵は、ＳＵＰＥＲＳＣＲＩＰＴＴＭ（減少したＲＮａｓｅ  Ｈ活性を有する変異Ｍ−ＭＬＶ  ＲＴ）、ＳＵＰＥＲＳＣＲＩＰＴＴＭ  ＩＩ（減少したＲＮａｓｅ  Ｈ活性を有する変異Ｍ−ＭＬＶ  ＲＴ）、ＴＨＥＲＭＯＳＣＲＩＰＴＴＭ（減少したＲＮａｓｅ  Ｈ活性を有する変異ＡＭＶ  ＲＴ）およびＴＨＥＲＭＯＳＣＲＩＰＴＴＭ  ＩＩ（減少したＲＮａｓｅ  Ｈ活性を有する変異ＡＭＶ  ＲＴ）からなる群より選択される、請求項４０に記載の組成物。
【請求項４３】  前記１つ以上のｍＲＮＡ鋳型は、ｃＤＮＡライブラリー生成に適したｍＲＮＡ鋳型の集団である、請求項２６に記載の組成物。
【請求項４４】  前記プライマーは、オリゴ（ｄＴ）プライマーである、請求項２６に記載の組成物。